(57)【特許請求の範囲】
【請求項１】
一端部がボウル部に連結され、他端部が排出口部となった筒状のトラップと、
モーターとを備え、
前記モーターの駆動により前記排出口部を上下に回動することで、前記排出口部を上向きにして前記ボウル部内に水を溜める上位置に配置した状態と、前記排出口部を前記上位置から下方に回動させて前記ボウル部内の水を排出する下位置に配置した状態とに切り換える便器装置であって、
前記排出口部が上位置に配置されたか否かを検知する上位置センサーと、
前記上下に回動する排出口部の回動角度を検出する角度検出センサーと、
前記上位置センサーによって排出口部が上位置に配置されていないことを検知し、且つ、前記角度検出センサーにより前記排出口部が前記上位置よりも下方に回動したときの回動角度を検出した場合には、前記モーターを駆動して前記排出口部を前記上位置まで上方に回動させ、前記上位置センサーによって排出口部が上位置に配置されていないことを検知し、且つ、前記角度検出センサーにより前記排出口部が前記上位置よりも前記下位置とは反対側に回動したときの回動角度を検出した場合には、前記排出口部の上方への回動動作を行わない制御を行う制御部と、を備えることを特徴とする便器装置。
【請求項２】
前記上位置センサーによって排出口部が上位置に配置されていないことを検知し、且つ、前記角度検出センサーにより前記排出口部が前記上位置よりも前記下位置とは反対側に回動したときの回動角度を検出した場合に、前記モーターを駆動して前記排出口部を前記上位置まで回動させることを特徴とする請求項１に記載の便器装置。
【請求項３】
前記トラップの前記排出口部が手動により上下に回動可能にしたものであることを特徴とする請求項１又は請求項２に記載の便器装置。
【発明の詳細な説明】
【技術分野】
【０００１】
本発明はモーターの駆動によりトラップを変形させてボウル部内に水を溜める状態とボウル部内の水を排出する状態とに切り換える便器装置に関する。
【背景技術】
【０００２】
特許文献１には筒状で屈曲可能なトラップとこのトラップを動作させるモーターとを備えたターントラップ方式の便器装置が開示されている。前記トラップは、一端部がボウル部の排水口部に連結され、他端部がボウル部内の水を排出するための排出口部となっている。前記排出口部は前記モーターの駆動により上下に回動するようになっている。このため、トラップの排出口部は、上向きとなる上位置に配置した状態と、下向きとなる下位置に配置した状態とに切り換えられるようになっている。すなわち、前記便器装置は、ボウル部を洗浄する際、トラップの排出口部を上位置から下位置に回動させることでボウル部内の水を排出し、この後、排出口部を下位置から上位置に回動させることでボウル部内に水を溜める状態に復帰できるようになっている。また、前記便器装置には、前記洗浄動作の際に排出口部の回動停止位置を規定するため、上位置に配置された排出口部を検知する検知手段が設けられている。
【先行技術文献】
【特許文献】
【０００３】
【特許文献１】特開平１０−６０９８７号公報
【発明の概要】
【発明が解決しようとする課題】
【０００４】
ところで、前記モーターによりトラップを動作させる便器装置は、停電時にトラップの排出口部を手動で回動した際、排出口部が上位置から外れた位置に配置される恐れがある。また、停電時に限られず、トラップの誤動作等もトラップの排出口部が上位置から外れた位置に配置される要因になる。そして、このようにトラップの排出口部が上位置から外れた位置に配置された場合、ボウル部２内に溜められる水の水位が変化したり、以後のボウル部の洗浄時においてトラップを精度良く動作させることができない等の不具合が生じる恐れがある。
【０００５】
本発明は上記事情に鑑みてなされたものであって、トラップの排出口部が上位置から外れた位置に配置された場合に不具合を生じ難くすることができる便器装置を提供することを課題とする。
【課題を解決するための手段】
【０００６】
上記課題を解決するために本発明の便器装置は、一端部がボウル部に連結され、他端部が排出口部となった筒状のトラップと、モーターとを備え、前記モーターの駆動により前記排出口部を上下に回動することで、前記排出口部を上向きにして前記ボウル部内に水を溜める上位置に配置した状態と、前記排出口部を前記上位置から下方に回動させて前記ボウル部内の水を排出する下位置に配置した状態とに切り換える便器装置であって、前記排出口部が上位置に配置されたか否かを検知する上位置センサーと、前記上下に回動する排出口部の回動角度を検出する角度検出センサーと、前記上位置センサーによって排出口部が上位置に配置されていないことを検知し、且つ、前記角度検出センサーにより前記排出口部が前記上位置よりも下方に回動したときの回動角度を検出した場合には、前記モーターを駆動して前記排出口部を前記上位置まで上方に回動させ、前記上位置センサーによって排出口部が上位置に配置されていないことを検知し、且つ、前記角度検出センサーにより前記排出口部が前記上位置よりも前記下位置とは反対側に回動したときの回動角度を検出した場合には、前記排出口部の上方への回動動作を行わない制御を行う制御部と、を備えることを特徴とする。
【０００７】
また、前記上位置センサーによって排出口部が上位置に配置されていないことを検知し、且つ、前記角度検出センサーにより前記排出口部が前記上位置よりも前記下位置とは反対側に回動したときの回動角度を検出した場合に、前記モーターを駆動して前記排出口部を前記上位置まで回動させることが好ましい。
【０００８】
また、前記トラップの前記排出口部が手動により上下に回動可能にしたものであることが好ましい。
【発明の効果】
【０００９】
本発明にあっては、何らかの要因で排出口部が上位置から下位置側に外れた位置に配置された場合に、排出口部を上位置に自動的に復帰させることができる。このため、ボウル部内に溜められる水の水位が変化したり、以後のボウル部の洗浄時においてトラップを精度良く動作させることができないといった不具合が生じ難くなる。また、排出口部が上位置よりも下位置とは反対側に回動した位置に配置されている場合に、排出口部を上方に回動させるようモーターを駆動し続けるといった事態が生じることを防止でき、これによりモーターの焼損や制御基板の故障等が生じ難くなる。
【図面の簡単な説明】
【００１０】
【図１】本発明の便器装置の洗浄動作時における回動軸、アーム、及び位置センサーの位置関係を示す説明図である。
【図２】同上の便器装置の側断面図であり、（ａ）はトラップを封水姿勢にした状態を示し（ｂ）はトラップを排水姿勢にした状態を示している。
【発明を実施するための形態】
【００１１】
以下、本発明を添付図面に基づいて説明する。なお、以下では便器装置１に着座した利用者から見た方向を基準にして説明する。すなわち、図２中Ｄ１に示される方向を前方、Ｄ２に示される方向を後方として説明する。
【００１２】
本実施形態の便器装置１は、図２に示されるように、ボウル部２を有する便器本体３と、ボウル部２に水を供給する給水装置（不図示）と、便器本体３の後部に内装されたターントラップ方式のトラップ装置４と、制御部（不図示）を備えている。なお、図示は省略するが、便器本体３の上には便座が設けられる。
【００１３】
ボウル部２は便器本体３の前部に形成され、便器本体３の上面から上方に向かって開口している。ボウル部２の底部には後方に突出する筒状の排水口部５が形成されている。
【００１４】
トラップ装置４は、トラップ６、ケース７、図示しないモーター、及び回動機構８を有している。トラップ６は屈曲性に優れた蛇腹筒状に形成されており、容易に変形させることができる。トラップ６の一端部はボウル部２の排水口部５に連結されている。トラップ６の他端部（排水口部５に連結される側と反対側の端部）は、ボウル部２内からトラップ６内に供給された水を排出するための排出口部９となっている。
【００１５】
ケース７はボウル部２の後方に設けられている。トラップ６の大部分はケース７の前面部からケース７内に挿入されている。ケース７の下端部には下方に開口する連結口部１２が形成されている。連結口部１２はトイレ室の床１５に設けられた排水管１１に連結される。
【００１６】
前記モーターはケース７の外側面に設けられている。このモーターはその駆動軸を正逆両方向に回転可能な電動モーターである。ケース７には前記モーターの駆動力をケース７内のトラップ６に伝えてトラップ６の自由端に設けられた排出口部９を上下に回動させる回動機構８が設けられている。
【００１７】
回動機構８は回動軸１３とアーム１４を有している。回動軸１３は前記モーターの駆動に伴って左右軸回りに回動するもので、ケース７の側面部に挿通されている。ここで、左右軸回りとは回動軸方向が左右方向と平行であることを意味する。なお、回動軸１３はモーターの駆動軸であってもよいし、モーターの駆動軸に伝達機構を介して連結されて前記モーターの駆動軸の回転に伴い回動する別の軸であってもよい。
【００１８】
アーム１４はケース７内において一端部が回動軸１３に連結固定され、他端部がトラップ６の排出口部９に連結固定されている。前記モーターを駆動して回動軸１３を回動させると、アーム１４は回動軸１３を中心に回動し、これに伴いアーム１４の他端部に連結されたトラップ６の排出口部９も回動軸１３を中心に回動する。また、この際、前記モーターの駆動軸の回転方向を正転方向又は逆転方向のいずれかに切り換えることにより、排出口部９を上方又は下方に選択的に回動できるようになっている。
【００１９】
前記モーターの駆動によりトラップ６を動作させることで、排出口部９を図２（ａ）に示すように上位置に配置した状態と、図２（ｂ）に示すように下位置に配置した状態とに切り替えられるようになっている。
【００２０】
図２（ａ）のように排出口部９を上位置に配置することで、トラップ６は排出口部９を上向きに開口させた封水姿勢となる。このようにトラップ６を封水姿勢にすることで、ボウル部２内に水を溜めることができる。また、図２（ｂ）のように排出口部９を下位置に配置することで、トラップ６は排出口部９を後斜め下方に向けて開口させた排水姿勢となる。このようにトラップ６を排水姿勢にすることで、ボウル部２内の水を、トラップ６の排出口部９から、ケース７を経て排水管１１に排出することができる。なお、排出口部９は下位置に配置されたときに横向き（後向き）又は下向きに開口するように設定されるようにしてもよい。
【００２１】
また、ケース７には２つの位置センサー１６（図１参照）が設けられている。一方の位置センサー１６はトラップ６の上位置に配置された排出口部９を検知するための上位置センサー１６ａであり、上位置に配置した排出口部９に対応する箇所に設けられている。
【００２２】
この上位置センサー１６ａを用いることで、排出口部９が上位置に配置されているか否かを検知できるようになっている。他方の位置センサー１６は、トラップ６の下位置に配置された排出口部９を検知する下位置センサー１６ｂであり、下位置に配置した排出口部９に対応する箇所に設けられている。この下位置センサー１６ｂを用いることで、排出口部９が下位置に配置されているか否かを検知できるようになっている。上位置センサー１６ａ及び下位置センサー１６ｂとしては、例えば物理的な接触によって検知する排出口部９を検知するものや、磁気又は光によって非接触で排出口部９を検知するものが用いられる。なお、上位置センサー１６ａ及び下位置センサー１６ｂは排出口部９に対応する位置以外の個所に設けても構わない。例えば回動軸１３に連結されるアーム１４に対応する位置に上位置センサー１６ａを設けてもよい。この場合、上位置センサー１６ａにより排出口部６が上位置に配置されたときのアーム１４を検知し、これにより排出口部９が上位置に配置されたか否かを検知する。また、回動軸１３に別途設けた部材に位置センサー１６を設けてもよい。この場合、上位置センサー１６ａにより排出口部６が上位置に配置されたときの前記部材を検知し、これにより排出口部９が上位置に配置されたか否かを検知する。
【００２３】
便器装置１に設けられた制御部は、操作部（不図示）が操作される等してボウル部２の洗浄指令がなされたとき、上位置センサー１６ａ及び下位置センサー１６ｂの夫々の検知結果に基づいて、モーターや給水装置を以下のように制御するよう設定されている。
【００２４】
トラップ６の排出口部９は、前記制御部に洗浄指令がなされる前の状態においては、通常図２（ａ）に示される上位置に配置されている。この状態で前記洗浄指令がなされた場合、制御部は前記給水装置によるボウル部２への給水を開始し、また、前記モーターを駆動して上位置に配置された排出口部９を下方に回動させ、ボウル部２内の水をトラップ６を介して排出する。このモーターの駆動は排出口部９が図２（ｂ）に示される下位置まで回動して、下位置センサー１６ｂによって排出口部９が検知されるまで行われる。そして、下位置センサー１６ｂによって排出口部９が検知されると、制御部は前記モーターを停止して排出口部９の回動を停止する。このモーターの停止の後、所定時間経過後に制御部はモーターを駆動し、モーターの駆動軸を前記排出口部９の下方への回動時とは逆方向に回転駆動し、これにより下位置に配置された排出口部９を上方に回動させる。このモーターの駆動は排出口部９が図２（ａ）に示される上位置まで回動して、上位置センサー１６ａによって排出口部９が検知されるまで行われる。そして、上位置センサー１６ａによって排出口部９が検知されると、制御部は前記モーターを停止して排出口部９の回動を停止する。そして、このように排出口部９の回動が停止された後、所定時間後に、制御部は前記給水装置によるボウル部２への給水を停止する。これにより、給水装置からボウル部２内に供給された水がボウル部２内に溜められてトラップ６が封水される。
【００２５】
また、停電時等には便器装置１に電力が供給されないため、前記モーターの駆動によるボウル部２の洗浄動作を行うことができない。このため、本実施形態の便器装置１は、トラップ６の排出口部９を手動により上下に回動できるようになっている。排出口部９を手動で回動させる手段としては、トラップ６において排出口部９の回動中心となる箇所に連結されたハンドル（不図示）が用いられる。ハンドルは、ケース７の前記モーターを設けた外側面とは反対側の外側面に設けられる。ハンドルの軸はハンドルの回動に伴って左右軸回りに回動するものであり、この軸はケース７の側面部に挿通されている。このハンドルの軸は、回動軸１３と同様にアーム（不図示）を介してトラップ６の排出口部９に連結されている。この構成により、前記ハンドルを手で回動してトラップ６の排出口部９を上下に回動させ、ボウル部２内の水をトラップ６を介して排出することができる。このように手動でボウル部２内の水を排出できるため、停電時等においても便器装置１を利用することが可能になる。なお、トラップ６の排出口部９を手動により上下に回動する手段は前記ハンドルに限定されない。また、回動軸１３にハンドルを連結し、ハンドルを手で回動することで、回動軸１３を回動し、これにより排出口部９を上下に回動するようにしてもよい。
【００２６】
また、本実施形態の便器装置１は、前記のように停電時にトラップ６を手動操作したり、トラップ６の誤動作等が生じて、排出口部９が上位置から外れた位置に配置された場合に、排出口部９を上位置に復帰する復帰手段を備えている。
【００２７】
復帰手段は、前記制御部、上位置センサー１６ａ、下位置センサー１６ｂ、及び前記上下に回動する排出口部９の回動角度を検出する角度検出センサー１７（図１）によって構成されている。角度検出センサー１７としては、例えば回動軸１３やアーム１４、モーターの駆動軸の回動角度を検出することで排出口部９の回動角度を検出するものが用いられる。
【００２８】
停電復帰後等において、排出口部９が上位置から外れた位置に配置された場合、制御部は以下の制御を行うように設定されている。制御部は、前記一連の洗浄動作以外の時において、排出口部９が上位置よりも下位置側に配置されている場合、前記モーターを駆動して排出口部９を上位置まで上方に回動するように設定されている。具体的に制御部は、上位置センサー１６ａにより排出口部９が上位置に配置されていないことを検知し、且つ角度検出センサー１７により排出口部９が上位置よりも下方に回動したときの回動角度を検出した場合、排出口部９が上位置から下位置側に外れたとする。そして、このように判定した場合に、前記モーターを駆動して上位置センサー１６ａによって排出口部９が検知されるまで排出口部９を上方に回動させる。
【００２９】
また、制御部は排出口部９が上位置よりも下位置と反対側に回動した位置（以下、オーバー位置という）に配置された場合、前記モーターを駆動して排出口部９を上位置まで回動するように設定されている。具体的には、上位置センサー１６ａにより排出口部９が上位置に配置されていないことを検知し、且つ角度検出センサー１７により排出口部９が上位置よりも下位置と反対側に回動したときの回動角度を検出した場合、排出口部９が上位置から下位置と反対側に外れたとする。そして、このように判定した場合に、制御部は、前記モーターを駆動して上位置センサー１６ａによって排出口部９が検知されるまで排出口部９を上位置側に回動させる。
【００３０】
以上説明したように、本実施形態の便器装置１は、上位置センサー１６ａによって排出口部９が上位置に配置されていないことを検知した場合に、前記モーターを駆動して排出口部９を上位置まで上方に回動させることができる。すなわち、何らかの要因で排出口部９が上位置から下位置側に外れた位置に配置された場合に、排出口部９を上位置に自動的に復帰させることができる。このため、ボウル部２内に溜められる水の水位が変化したり、以後のボウル部の洗浄時においてトラップ６を精度良く動作させることができないといった不具合が生じ難くなる。
【００３１】
ところで、仮に上位置センサー１６ａによって排出口部９が上位置に配置されていないことを検知した場合の全てにおいて、モーターを駆動して排出口部９を上方に回動させる制御を行うように設定した場合、以下の不具合が生じる恐れがある。すなわち、このような制御を行うと、排出口部９がオーバー位置に配置されている場合に、排出口部９を上方に回動させるようモーターを駆動し続けることとなり、モーターの焼損や制御基板の故障等が生じる恐れがある。この点、本実施形態では、角度検出センサー１７により排出口部９が上位置よりも下位置とは反対側に回動したときの回動角度を検出した場合は、前記排出口部９の上方への回動動作を行わないように設定されている。このため、排出口部９がオーバー位置に配置されている場合に、排出口部９を上方に回動させるようモーターを駆動し続けるといった事態が生じ難く、このためモーターの焼損や制御基板の故障等が生じ難くなる。
【００３２】
また、本実施形態では、前記角度検出センサー１７により排出口部９が上位置よりも下位置とは反対側に回動したときの回動角度を検出した場合に、前記モーターを駆動して排出口部９を上位置まで回動させる制御を行うように設定されている。このため、排出口部９がオーバー位置に配置されている場合にも、排出口部９を上位置に自動的に復帰させることができる。
【００３３】
また、本実施形態の便器装置１は、トラップ６の排出口部９を手動により上下に回動可能にしたものである。このため、停電時等において、トラップ６の排出口部９を手動で上下させてボウル部２内の水を排出することができ、これにより停電時等においても便器装置１を利用することが可能になる。また、排出口部９を手動により上下に回動して排出口部９が上位置から外れた際には、排出口部９を上位置に自動で復帰させることができる。
【００３４】
なお、本実施形態では、位置センサー１６として上位置センサー１６ａと下位置センサー１６ｂを設けたが、上位置センサー１６ａのみを設けてもよい。この場合、下位置センサー１６ｂが無いので、モーターの駆動により上位置にある排水口部５を下位置まで回動させるには、例えばモーターの駆動を開始してから所定時間後にモーターを停止させればよい。また、本実施形態ではトラップ６から排出された水をトイレ室の床１５に設けられた排水管１１を通じて排出するようにしたが、トイレ室の壁に設けられた排水管を通じて排出されるようにしても構わない。この一例としては、ケース７に後方に開口する連結口を設け、この連結口を便器装置１後方の壁に設けられた排水管に連結することが挙げられる。また、本発明は前記実施形態に限定されるものではなく、本発明の趣旨を逸脱しない範囲内で、必要に応じて、任意に且つ適宜に変更・選択して採用できるものである。
【符号の説明】
【００３５】
１  便器装置
２  ボウル部
６  トラップ
９  排出口部
１６ａ  上位置センサー
１７  角度検出センサー
【図１】
0005842136.tif 000002
【図２】
0005842136.tif 000003